(57)【要約】【課題】重心がフェ−ス面からバック側方向に可及的に離れた深い位置になるアイアンゴルフクラブを提供する。【解決手段】他の何れの材料よりも比重の大きな材料による重量部材をバック側に保持させており、重量部材の上方部分２０ＷＵがフェース壁部２０ＦＢの上側保持部２０ＵＳによって保持されており、下方部分２０ＷＳが下側保持部２０ＳＳによって保持されており、前記上側保持部によって前記上方部分を保持している保持境界の最下端Ｐ１を通ると共にフェース面２０Ｆに垂直なラインＬ１を超えて下方に延伸した延伸部を前記上方部分が有すると共に、該延伸部のバック側の面はヘッドのバック面に沿う領域ＢＵを有しており、前記下側保持部によって前記下方部分を保持している保持境界の最上端Ｐ２を通ると共にフェース面に垂直なラインＬ２を超えて上方に延伸した延伸部を前記下方部分が有すると共に、該延伸部のバック側の面はヘッドのバック面に沿う領域ＢＳを有するよう構成する。【選択図】図６
2007260316.tif 000002
【特許請求の範囲】
【請求項１】
ヘッドを構成している材料中、他の何れの材料よりも比重の大きな材料による重量部材（２０ＷＳ）をバック側に保持させたアイアンゴルフクラブであって、
前記重量部材の上方部分（２０ＷＵ）がフェース壁部（２０ＦＢ）の上側に続いた上側保持部（２０ＵＳ）によって保持されており、
該重量部材の下方部分（２０ＷＳ）がフェース壁部の下側に続いた下側保持部（２０ＳＳ）によって保持されており、
前記上側保持部によって前記上方部分を保持している保持境界の最下端（Ｐ１）を通ると共にフェース面に垂直なライン（Ｌ１）を超えて下方に延伸した延伸部を前記上方部分が有すると共に、該延伸部のバック側の面（ＢＵ）はヘッドのバック面に沿う領域を有しており、
前記下側保持部によって前記下方部分を保持している保持境界の最上端（Ｐ２）を通ると共にフェース面に垂直なライン（Ｌ２）を超えて上方に延伸した延伸部を前記下方部分が有すると共に、該延伸部のバック側の面（ＢＳ）はヘッドのバック面に沿う領域を有しており、
前記重量部材は、前記フェース壁部の裏面（２０Ｆ’）から離隔したバック位置に位置している
ことを特徴とするアイアンゴルフクラブ。
【発明の詳細な説明】
【技術分野】
【０００１】
本発明は、アイアンゴルフクラブに関する。
【背景技術】
【０００２】
アイアンゴルフクラブにおいても、周辺部に環状の重量部材を配置してその慣性モーメントを増大させ、スィートエリアの拡大、即ち、打撃を安定させることが行われている。例えば、下記特許文献１と２にそうした例が見られる。
【特許文献１】特開平８−２９４５５２号公報
【特許文献２】特開平１０−１５５９４６号公報
【発明の開示】
【発明が解決しようとする課題】
【０００３】
然しながら、上記文献１では、環状に配置した重量部材の上方部分はフェース壁部の裏面に接触しており、また、重量部材の下方部分は厚肉化された突部（保持部）によって保持されているが、この重量部材による重心深さに関しては、十分とは言えず、より深くするためには改善の余地があり、その意味でのスィートスポットの拡大は十分ではない。また、文献２では、環状重量部材の上方部分も下方部分もフェース壁部の裏面からはバック側に離れているが、重量部材の上下方向では、保持しているヘッド本体（保持部）との保持境界までしか重量部材が設けられていなく、フェース面に垂直な方向の幅寸法を大きく設定している。従って、重心深度を深める工夫には改善の余地が有る。
依って解決しようとする課題は、重心がフェ−ス面からバック側方向に可及的に離れた深い位置になるアイアンゴルフクラブを提供する。
【課題を解決するための手段】
【０００４】
第１の発明では、ヘッドを構成している材料中、他の何れの材料よりも比重の大きな材料による重量部材をバック側に保持させたアイアンゴルフクラブであって、前記重量部材の上方部分がフェース壁部の上側に続いた上側保持部によって保持されており、該重量部材の下方部分がフェース壁部の下側に続いた下側保持部によって保持されており、前記上側保持部によって前記上方部分を保持している保持境界の最下端を通ると共にフェース面に垂直なラインを超えて下方に延伸した延伸部を前記上方部分が有すると共に、該延伸部のバック側の面はヘッドのバック面に沿う領域を有しており、前記下側保持部によって前記下方部分を保持している保持境界の最上端を通ると共にフェース面に垂直なラインを超えて上方に延伸した延伸部を前記下方部分が有すると共に、該延伸部のバック側の面はヘッドのバック面に沿う領域を有しており、前記重量部材は、前記フェース壁部の裏面から離隔したバック位置に位置していることを特徴とするアイアンゴルフクラブを提供する。
フェース壁部とは、フェース裏面がフェース面に対して２０度以内の角度の範囲で形成されている領域を言う。残り周辺部領域は上側保持部、下側保持部に属する。
【発明の効果】
【０００５】
第１の発明では、上側と下側の各保持部によって重量部材を保持している各保持境界の最下端位置又は最上端位置を通ると共に、フェース面に垂直なラインを超えて、該重量部材の上方部分は下方に延伸しており、下方部分は上方に延伸しており、所定重量を有する重量体の前記フェース面に垂直な方向の幅は、そうした延伸部の存在に対応してその分薄くなり、延伸部のバック側面がヘッドのバック面に沿う領域を有するように重量体はバック面側に寄せて配設しているため、結局は重心深度が可及的に深くなる。
【発明を実施するための最良の形態】
【０００６】
以下、本発明を図面を用いて詳細に説明する。図１は本発明に係るアイアンゴルフクラブをライ角θの通りに水平面上に載置した状態の正面図であり、図２はそのヘッドの分解図、図３はヘッド付近の正面図、図４は背面図、図５はソール部側から見た下面図、図６は図３の矢視線Ｆ−Ｆによる断面図、図７は図３の矢視線Ｇ−Ｇによる断面図である。ホーゼル部２０ＨＺを介してシャフト１０を装着させたヘッド２０は、ホーゼル部を有するヘッド本体２０ＨＨと、その前面部に装着されるフェースプレート２０ＦＰと、バック側に装着される環状の重量部材２０Ｗとを有している。ヘッドはソール部２０Ｓ、トウ部２０ＴＵ、トップ部２０Ｃ、ヒール部２０Ｈを有している。
【０００７】
この重量部材２０Ｗは、ヘッド本体２０ＨＨよりも、また、フェースプレート２０ＦＰよりも比重の大きな材料によって形成されている。例えば、タングステン合金製等である。これら３個の部品は溶接によって一体化される。この例の重量部材２０Ｗは、その下部中央領域ＷＣが図２に示すように窪んでおり、これに対応してヘッド本体２０ＨＨは、その対応領域ＨＣが図２のように膨出している。重量部材２０Ｗは、下面図である図５におけるヒール側の肉厚ｔＡとトウ側の肉厚ｔＢとは、その中央領域の肉厚ｔＣよりも厚い。また、背面図である図４において、重量部材２０Ｗの下部のうち、ヒール側ＷＡとトウ側ＷＢは、中央領域ＷＣよりも重量部材が多く配設形成されている。従って、より周辺部に重量を配設しているため、慣性モーメントがより増大し、スィートスポットを外した場合でも打撃が安定する。
【０００８】
図６を参照すると、一定肉厚のフェースプレート２０ＦＰはその上端部と下端部をヘッド本体２０ＨＨによって保持されている。そのフェースプレートの保持部分を除いた領域２０ＦＢがこの例でのフェース壁部である。また、フェースプレート２０ＦＰの上端部とこれを保持しているヘッド本体２０の領域とをフェース壁部の上側保持部２０ＵＳ、下端部とこれを保持しているヘッド本体領域とをフェース壁部の下側保持部２０ＳＳという。
【０００９】
環状の重量部材２０Ｗは上側保持部２０ＵＳと下側保持部２０ＳＳのバック側に保持されていると共に、重量部材のバック側の面は、ヘッドのバック面輪郭に沿った領域を有している。上側保持部２０ＵＳと、これが保持している重量部材の上方部分２０ＷＵとの保持境界の最下端Ｐ１を通ると共に、フェース面２０Ｆに垂直なラインＬ１に対し、上方部分２０ＷＵは下方にΔＬ１だけ延伸した延伸部を有している。この延伸部のバック側の面はヘッドのバック面に沿う領域ＢＵを有している。また、下側保持部２０ＳＳと、これが保持している重量部材の下方部分２０ＷＳとの保持境界の最上端Ｐ２を通ると共に、フェース面２０Ｆに垂直なラインＬ２に対し、下方部分２０ＷＳは上方にΔＬ２だけ延伸した延伸部を有している。この延伸部のバック側の面はヘッドのバック面に沿う領域ＢＳを有している。
【００１０】
このように、重量部材の上方部分２０ＷＵも下方部分２０ＷＳもバック面輪郭に沿う領域を有する輪郭ぎりぎりの位置に配設されており、上側と下側の各保持部に対して下方又は上方に延伸するほど上下方向に長く形成しており、その分図６の左右方向幅を狭くできるため、重心深度を可級的に深くできる。こうしたことから、重量部材の上方部分２０ＷＵの延伸部と、フェース壁部２０ＦＢの裏面２０Ｆ’との間は離隔しており、ここに空間Ｋ１が存在する。また、重量部材の下方部分２０ＷＳの延伸部と、フェース壁部２０ＦＢの裏面２０Ｆ’との間は離隔しており、ここに空間Ｋ２が存在する。
【００１１】
図３の矢視線Ｇ−Ｇによる図７は、基本的には図６と同様であり、異なるのは、重量部材の上方部分２０ＷＵでは、保持境界の最下端Ｐ１’を通るラインＬ１’を超える延伸部の延伸量がΔＬ１’に変化し、下方部分２０ＷＳでは、保持境界の最上端Ｐ２’を通るラインＬ２’を超える延伸部の延伸量が大きなΔＬ２’に変化していることである。
【００１２】
図８以降は第２実施形態例を示す図である。図８はヘッドを分解した図、図９はヘッドの背面図であり、図４に対応する。図１０はソール部側から見た下面図であり、図５に対応し、図１１は図９の矢視線Ｋ−Ｋによる断面図であり、図６に対応する。第１の実施形態例と異なる事項を主に説明する。ヘッドは、フェース部とホーゼル部２０ＨＺとを一体的に有するヘッド本体２０ＨＨと、このバック側に装着される環状の重量部材２０Ｗとを有している。重量部材２０Ｗの下部の中央領域ＷＣ’は、該下部のヒール側やトウ側よりも下方に突出させている。これに対応する位置のヘッド本体２０ＨＨには凹部ＨＣ’が形成されている。従って、これらが一体化されたヘッドでは、ヒール・トウ間の中央部がヒール側やトウ側よりも重いため、慣性モーメントは第１の実施形態例のように大きくならず、スィートスポットを外した打撃では必ずしも安定しないが、ヒール・トウ間の中央部に位置し、打撃位置に重量感があって打感がよく、打点の近くに重量物が集中しているため、打球時のエネルギーロスが少なく、飛距離の向上が図れる。
【００１３】
図１１を参照すると、フェース面２０Ｆに対してフェース裏面２０Ｆ’の傾斜角度θ１が２０度以下の場合は、そのフェース裏面を有する領域はフェース壁部２０ＦＢに属する。しかし、傾斜角度θ２のように２０度を上回る部分はフェース壁部２０ＦＢに属しない。この厚肉部はフェース壁部の上側保持部２０ＵＳであり、一方、ヘッド本体２０ＨＨのソール部側の厚肉部２０ＳＳはフェース壁部の下側保持部２０ＳＳである。こうして規定されたフェース壁部２０ＦＢの裏面２０Ｆ’と、重量部材２０Ｗの上方部分２０ＷＵ及び下方部分２０ＷＳとは離隔しており、ここに夫々空間が存在する。その他の事項は第１形態例と同様である。
【産業上の利用可能性】
【００１４】
本発明は、アイアンゴルフクラブに利用できる。
【図面の簡単な説明】
【００１５】
【図１】図１は本発明に係るアイアンゴルフクラブの正面図である。
【図２】図２は図１のヘッドの分解図である。
【図３】図３は図１のヘッド付近の拡大正面図である。
【図４】図４は図１のヘッド付近の背面図である。
【図５】図５はソール部側から見た下面図である。
【図６】図６は図３の矢視線Ｆ−Ｆによる断面図である。
【図７】図７は図３の矢視線Ｇ−Ｇによる断面図である。
【図８】図８は第２形態例のヘッドを分解した図である。
【図９】図９はヘッドの背面図であり、図４に対応する。
【図１０】図１０はソール部側から見た下面図であり、図５に対応する。
【図１１】図１１は図９の矢視線Ｋ−Ｋによる断面図であり、図６に対応する。
【符号の説明】
【００１６】
２０Ｆ                    フェース面
２０Ｆ’                  フェース壁部の裏面
２０ＦＢ                  フェース壁部
２０ＳＳ                  下側保持部
２０ＵＳ                  上側保持部
２０Ｗ                    重量部材
２０ＷＳ                  重量部材の下方部分
２０ＷＵ                  重量部材の上方部分
Ｌ１，Ｌ２                フェース面に垂直なライン
【図１】
2007260316.tif 000003
【図２】
2007260316.tif 000004
【図３】
2007260316.tif 000005
【図４】
2007260316.tif 000006
【図５】
2007260316.tif 000007
【図６】
2007260316.tif 000008
【図７】
2007260316.tif 000009
【図８】
2007260316.tif 000010
【図９】
2007260316.tif 000011
【図１０】
2007260316.tif 000012
【図１１】
2007260316.tif 000013